(57)【要約】【課題】測定器に部品を追加したり、電池寿命を短くしたりすることなく、必要な場合のみ照明機能を付加することが可能な、測定器用照明装置を提供すること。【解決手段】本発明にかかる測定器用照明装置１は、測定器１０１のデータ出力用ポート１１０に対して挿脱可能に設けられたコネクタ１１と、コネクタ１１がデータ出力用ポート１１０に挿入された状態の際に、測定器１０１の表示部１０５に光を照射する向きに設けられた照明部１０と、コネクタ１１と電気的に導通しており、コネクタ１１がデータ出力用ポート１１０に挿入された状態のときに、データ出力用ポート１１０から出力されるデータを外部取り出し可能とするポート１２と、照明部１０に給電するバッテリー部１３と、を備えることを特徴とするものである。【選択図】図４
2014074643.tif 000002
【特許請求の範囲】
【請求項１】
測定器のデータ出力用ポートに対して挿脱可能に設けられたコネクタと、
前記コネクタが前記データ出力用ポートに挿入された状態の際に、前記測定器の表示部に光を照射する向きに設けられた照明部と、
前記コネクタと電気的に導通しており、前記コネクタが前記データ出力用ポートに挿入された状態のときに、前記データ出力用ポートから出力されるデータを外部取り出し可能とするポートと、
前記照明部に給電するバッテリー部と、を備えることを特徴とする測定器用照明装置。
【請求項２】
更に前記バッテリー部に対してほぼ垂直に立設された本体部を備え、
前記コネクタは前記本体部から前記バッテリー部と同じ方向に向けて突き出ており、
前記バッテリー部は、
前記コネクタが前記データ出力用ポートに挿入された状態のときに前記測定器の一面に当接する当接面を有し、
前記コネクタと前記データ出力用ポートとの係合と、前記測定器の一面と前記バッテリー部の前記当接面との当接と、によって当該照明装置は前記測定器に固定的に取り付けられることを特徴とする請求項１記載の測定器用照明装置。
【請求項３】
前記測定器は、前記表示部が配設された正面部と、前記データ出力用ポートが配設された円筒形の側面部と、を有する筐体を備えており、
当該測定器用照明装置は、
さらに、前記筐体の前記側面部に沿うように湾曲した形状を有するとともに、一端側に前記コネクタを有する本体部を備えており、
前記本体部は、前記コネクタが前記データ出力用ポートに挿入されたときに、前記筐体の前記側面部に沿う位置に取り付き、かつ、他端側において前記筐体の前記正面部側に向けて突出する突出部を有し、
前記照明部は、前記突出部に配設されている
ことを特徴とする請求項１に記載の測定器用照明装置。
【請求項４】
前記照明部は、照明方向を変更できるように設けられていることを特徴とする請求項１乃至３記載の測定器用照明装置。
【請求項５】
前記照明部は、２以上の方向に光を照射するものである、請求項１乃至４のうちいずれか１項記載の測定器用照明装置。
【請求項６】
前記照明部は、発光ダイオードを有する請求項１乃至５のうちいずれか１項記載の測定器用照明装置。
【請求項７】
請求項１乃至６のいずれかに記載の照明装置と、
前記測定器として、マイクロメータ、ノギス、及びインジケータのうちから選択されるいずれか１つとを具備する、ことを特徴とする照明付き測定器。
【発明の詳細な説明】
【技術分野】
【０００１】
本発明は測定器用照明装置に関する。
【背景技術】
【０００２】
デジタル式のマイクロメータ、ノギス、あるいはインジケータ等の、デジタル式の小型測定器（スモールツール）が知られている。小型測定器は持ち運びができることから、その使用箇所は多岐にわたり、暗い箇所での測定も少なくない。通常、小型測定器の表示部には７セグメントの液晶表示が用いられている。
【０００３】
ここで、デジタル式の小型測定器は、測定器としての利便性を高めるため、サイズの制限があり、バックライトを組み込むことは難しい。また、バックライトを取り付けることにより、測定器の電池寿命が短くなってしまったり、測定器の価格が高くなってしまったりする、という問題があった。
【０００４】
一部では、ＬＥＤ内蔵の表示部を搭載した測定具も製品化されているが、電池寿命などの関係により、スイッチにより一定時間だけＬＥＤを点灯させる等の対策が取られており、使いやすさの面で課題があった。
【０００５】
特許文献１には、デジタル表示部に照明を有し、照明用として別個に電源とスイッチとを有する寸法測定用のノギスが記載されている。
【０００６】
特許文献２には、表示部にバックライトを有するデジタル表示式のノギスが記載されている。特許文献に記載のデジタル式ノギスでは、スライダが動くとバックライトが点灯する。
【先行技術文献】
【特許文献】
【０００７】
【特許文献１】実開昭６１−２０３３１２号公報
【特許文献２】特開平２００８−１１１７０６号公報
【発明の概要】
【発明が解決しようとする課題】
【０００８】
しかしながら、特許文献１に記載の技術では、測定器に取り付けた照明を取り外すことができず、豆電球が測定器に付属した状態になってしまう。豆電球が常に付属した状態だと、測定器の利便性が損なわれるという問題があった。
【０００９】
また、特許文献２に記載の技術では、スライダの摺動を検知してバックライトが点灯するため、使い勝手が悪い場合があるという問題があった。
【００１０】
本発明はこのような問題を解決するためになされたものであり、測定器に部品を追加したり、電池寿命を短くしたりすることなく、必要な場合のみ照明機能を付加することが可能な、測定器用照明装置を提供することを目的とする。
【課題を解決するための手段】
【００１１】
本発明にかかる測定器用照明装置は、測定器の表示部に光を当てる照明部と、測定器のデータ出力用ポートに対して挿脱可能に設けられたコネクタと、コネクタがデータ出力用ポートに挿入された状態の際に、測定器の表示部に光を照射する向きに設けられた照明部と、コネクタと電気的に導通しており、コネクタがデータ出力用ポートに挿入された状態のときに、データ出力用ポートから出力されるデータを外部取り出し可能とするポートと、照明部に給電するバッテリー部と、を備えることを特徴とするものである。これにより、測定器の電池を消費することなく、測定器の表示部分の視認性を向上することができる。
【発明の効果】
【００１２】
本発明によれば、測定器に着脱可能な測定器用照明装置を提供することができる。
【図面の簡単な説明】
【００１３】
【図１】実施の形態にかかる測定器用照明装置を示す図である。
【図２】実施の形態にかかる測定器用照明装置を示す図である。
【図３】実施の形態にかかる測定器用照明装置と測定器としてのノギスを示す図である。
【図４】実施の形態にかかる測定器用照明装置を取り付けた測定器としてのノギスを示す図である。
【図５】実施の形態にかかる照明部が揺動するように構成した測定器用照明装置を示す図である。
【図６】実施の形態にかかるマイクロメータと測定器用照明装置を示す図である。
【図７】実施の形態にかかるマイクロメータに取り付けられた測定器用照明装置を示す図である。
【図８】実施の形態にかかるインジケータと測定器用照明装置を示す図である。
【図９】実施の形態にかかるインジケータに装着された測定器用照明装置を示す図である。
【図１０】実施の形態にかかる測定器用照明装置と外部機器のコネクタとを示す図である。
【図１１】実施の形態にかかる測定器用照明装置のポートに外部機器のコネクタが接続された状態を示す図である。
【発明を実施するための形態】
【００１４】
以下、図面を参照して本発明の実施の形態について説明する。本実施の形態にかかる測定器用照明装置は、マイクロメータ、ノギス、あるいはインジケータ等の小型測定器に取り付けて用いるものである。
【００１５】
実施の形態１
図１（ａ）、（ｂ）及び図２（ａ）、（ｂ）は、実施の形態にかかる測定器用照明装置１を示す図である。また、図３、図４は照明装置１を測定器としてのノギス１０１に取り付ける様子を示した図である。測定器用照明装置１は、照明部１０と、コネクタ１１と、ポート１２と、バッテリー部１３と、スイッチ１４と、本体部１５と、を有する。
【００１６】
まず、照明装置１の全体構造を説明する。バッテリー部１３は、厚みが薄い偏平薄板状であり、平面視で略矩形状である。そして、平面視した際、バッテリー部１３の基端側１３Ａは直線的な形状であるが、先端側１３Ｂは先端が凸状に緩やかな曲線を描く形状になっている。
【００１７】
バッテリー部１３の基端側１３Ａに本体部１５が立設されている。すなわち、側方視した際、バッテリー部１３と本体部１５とで全体的にＬ字状になっている。
【００１８】
本体部１５は、矩形の偏平薄板状である。ここで、本体部１５において、バッテリー部１３の基端側１３Ａと同じ側にある面を正面１５Ｆとする。逆に、本体部１５において、バッテリー部１３の先端側１３Ｂと同じ側にある面を背面１５Ｂとする。
【００１９】
本体部１５の背面１５Ｂに照明部とコネクタ１１とが配設されている。照明部１０は、本体部１５の背面１５Ｂにおいてバッテリー部１３とは反対側の位置に配置されている。コネクタ１１は、本体部１５の背面において本体部１５の高さ方向の略中間の位置に配置されている。
【００２０】
また、本体部１５の正面１５Ｆにスイッチ１４とポート１２とが配置されている。本実施形態では、スイッチ１４は、本体部１５の正面１５Ｆにおいてバッテリー部１３とは反対側の位置に配置されている。ポート１２は、本体部１５の正面１５Ｆにおいてバッテリー部１３に近位した位置に配置されている。次に、照明装置１の各部を説明する。
【００２１】
照明部１０は、測定器の表示部に光を当てるものである。照明部１０の光源はここではＬＥＤライトとする。これにより、照明部１０は低電力でも十分な照明能力を持つ。なお、照明部１０の光源はＬＥＤライトに限定されるものではない。
【００２２】
コネクタ１１は、測定器に設けられたデータ出力用ポート１１０（図３参照）に挿入可能に設けられている。コネクタ１１がデータ出力用ポート１１０に係入されると、両者の係り合いによって、照明装置１が測定器としてのノギス１０１に取り付くように固定される。
【００２３】
ポート１２は、コネクタ１１と内部配線によって電気的に接続されている。すなわち測定器のポートから出力される測定データは、コネクタ１１を介して、ポート１２から取り出し可能となっている。例えば、外部機器のコネクタ１５０をポート１２に差し込めば、測定データは、接続されたコネクタ１５０に出力される。
【００２４】
バッテリー部１３には、照明部１０を駆動させるための電池が内蔵されている。ここでは、一例として、ボタン電池を内部に嵌めこむ構成とする。スイッチ１４は、照明部１０のライトのオン・オフを制御するものである。
【００２５】
本実施の形態にかかる測定器用照明装置１は、測定器のバッテリー部とは別に照明装置用のバッテリー部を有しているため、測定器の電源を消費しないようにすることが可能である。
【００２６】
また、測定器用照明装置１は、測定器としてのノギス１０１に取り付けられた際、バッテリー部１３が測定器の裏に回り込み、測定器の裏面にバッテリー部１３が当接するような形状である。そのため、測定器に対する測定器用照明装置１の固定を補強することが可能である。
【００２７】
図３及び図４は、実施の形態にかかる測定器用照明装置１を取り付けた測定器１００としてのノギス１０１を示す図である。ノギス１０１は、本尺１０２と、本尺１０２に対して移動可能に構成されたスライダ１０３と、スライダ１０３の本尺１０２に対する変位量を検出するエンコーダ１０４（不図示）と、エンコーダ１０４により検出されたスライダ１０３の変位量を表示する表示部１０５とを有する。
【００２８】
本尺１０２は、長手の一端側に設けられた外側測定ジョー１０６及び内側測定ジョー１０７を有する。
【００２９】
スライダ１０３は、本尺１０２の外側測定ジョー１０６とともに被測定物の測定部位に当接される外側測定ジョー１０８と、本尺の内側測定ジョー１０７とともに被測定物の測定部位に当接される内側測定ジョー１０９とを有する。
【００３０】
また、スライダ１０３は、表示部１０５の周囲に表示部１０５を操作するための操作ボタン１１１を有する。
【００３１】
エンコーダ１０４は、図２においては不図示であるが、本尺１０２の長手方向に沿って設けられた電磁誘導式のスケールと、スライダ１０３に設けられスケールと協働してスライダ１０３の本尺１０２に対する移動変位量を検出する検出ヘッドとを備える。表示部１０５は、エンコーダ１０４が測定した測定結果を表示する。
【００３２】
スライダ１０３は、エンコーダ１０４が測定した測定結果を外部に出力するためのデータ出力用ポート１１０が設けられている。
【００３３】
ノギス１０１は、測定器用照明装置１を取り付け可能なスペースが制限されている。ノギス１０１は、測定値の視認性向上のために、できるだけ大きな表示部１０５が求められる。なおかつ、ノギス１０１の機能が失われないよう、スライダ１０３、エンコーダ１０４、表示部１０５等はできるだけコンパクトな構成であることが求められる。ここで、本発明者は、極限的に小型化されたデジタル式スモールツールであっても、データ出力用ポート１１０を設けるスペースは確保されていることに注目した。
【００３４】
本実施の形態にかかる測定器用照明装置１は、ノギス１０１のデータ出力用ポート１１０にコネクタ１１を差し込むことにより固定される。これにより、簡易で小さな構成で、測定器用照明装置１をノギス１０１に固定して、表示部１０５の視認性を向上することができる。また、ノギス１０１のデータ出力用ポート１１０に、測定器用照明装置１のコネクタ１１を差し込むことで、ノギス１０１のデータ出力用ポート１１０は塞がれてしまうが、測定器用照明装置１がポート１２を有するため、データを外部に出力することが可能である。
【００３５】
更にまた、測定器用照明装置１は、ノギス１０１のデータ出力用ポート１１０にコネクタ１１を差し込むことにより固定されるため、着脱も容易である。よって、使用者が必要に応じてノギス１０１に測定器用照明装置１を着脱することができ、使いやすい。
【００３６】
実施の形態２
第１の実施形態では照明部１０は光を照射する方向が固定されていたが、光を照射する方向を変えられるように構成されてもよい。
【００３７】
図５は、照明部が揺動するように構成した測定器用照明装置を示す図である。測定器用照明装置２は、測定器用照明装置２の本体部分に対して揺動するよう構成された照明部２０を有する。測定器用照明装置２のその他の構成については、測定器用照明装置１と同様である。
【００３８】
照明部２０は、図５に示す矢印の方向に揺動可能に構成されている。これにより、測定器の表示部に対して適切な位置に光を照射するように調整することが可能である。また、例えば、光の角度を調整することにより、測定の対象物に光を照射することも可能である。よって暗い箇所での測定の際に、より測定器が使いやすくなる。また、照明部２０は複数方向に光を照射するように構成してもよい。
【００３９】
実施の形態３
測定器用照明装置１は、ノギス１０１だけでなく、マイクロメータに取り付けることも可能である。図６及び図７は、マイクロメータ１２０に取り付けられた測定器用照明装置１を示す図である。
【００４０】
マイクロメータ１２０は、略Ｕ字形状のフレーム１２１と、アンビル１２２と、クランプ１２３と、スピンドル１２４と、ポート１２５と、スリーブ１２６と、シンブル１２７と、ラチェット１２８と、スイッチ１２９と、表示部１３０と、エンコーダ１３１と、ポート１３２と、を有する。
【００４１】
アンビル１２２は、Ｕ字型のフレーム１２１の一端側に固定されている。スピンドル１２４はフレーム１２１の他端に、軸方向に回転しながら進退可能に支持されている。クランプ１２３は、スピンドル１２４を一定の力で固定する。
【００４２】
スリーブ１２６は、フレーム１２１の他端側に固定され、一定間隔毎に形成された主尺目盛を有する。シンブル１２７は、スピンドル１２４に一端が連結され、外周に沿って副尺目盛が形成されている。
【００４３】
ラチェット１２８は、シンブル１２７の一端に設けられ、一定以上の負荷を掛けられた場合に空転する。
【００４４】
スイッチ１２９は、マイクロメータ１２０のオン・オフを切り替える等、マイクロメータ１２０の操作を行うためのものである。エンコーダ１３１は、スリーブ１２６と、シンブル１２７と、の間の変位を検出する。表示部１３０は、エンコーダ１３１の検出値を表示する。ポート１２５は、外部に検出結果を出力するためのものである。
【００４５】
測定器用照明装置１は、マイクロメータ１２０の有するポート１２５に、測定器用照明装置１のポート１２を挿入することにより固定される。
【００４６】
ノギス１０１のポートと表示部との位置関係と、マイクロメータ１２０のポートと表示部との位置関係とが似ているため、ノギスに装着する測定用照明装置１を、マイクロメータ１２０に装着することが可能である。
【００４７】
実施の形態４
次に、インジケータに測定器用照明装置を取り付けて使用する場合について説明する。図８及び図９は、インジケータ１４０に測定器用照明装置３を装着する様子を示す図である。インジケータ１４０は、測定部１４１と、表示部１４２と、スイッチ１４３と、ステム１４４と、スピンドル１４５と、測定子１４６と、ポート１４７とを有する。
【００４８】
スピンドル１４５は、一端に測定子１４６を備え、他端はステム１４４を介して測定部１４１に固定されている。測定部１４１は、測定子１４６の変位を検出する。表示部１４２は、測定部１４１の測定結果を表示する。スイッチ１４３は、測定部１４１及び表示部１４２のオン・オフ等を制御する。測定部１４１の側面には、外部にデータを出力するためのポート１４７が設けられている。
【００４９】
図１０（ａ）、（ｂ）及び図１１（ａ）、（ｂ）は、測定器用照明装置３を示す図である。測定器用照明装置３は、測定器用照明装置１と同様に、照明部１０と、コネクタ１１と、ポート１２と、バッテリー部１３と、スイッチ１４と、本体部１５と、を有する。測定器用照明装置３は、インジケータ１４０のポート１４７に、コネクタ１１を挿入することにより固定される。照明部１０は、表示部１４２の長手方向から表示部１４２に光を当てる構成となっている。
【００５０】
図８及び図９に示すように、インジケータ１４０においては、ポート１４７と表示部１４２との位置関係が、ノギス１０１やマイクロメータ１２０とは異なる。従って、測定器用照明装置３は、測定器用照明装置１と比べて、照明部１０、バッテリー部１３、及び本体部１５の位置関係及び形状が異なる。コネクタ１１がポート１４７に挿入された状態で本体部１５がインジケータ１４０の側面に沿うように、本体部１５は、インジケータ１４０の側面に沿って湾曲した形状である。そして、照明部１０は、測定用照明装置１がインジケータ１４０に装着されたときに、表示部１４２に近接できるように、本体部１５の所定位置に設けられる。すなわち、本体部１５には、インジケータ１４０の正面側に突出する突出部１５Ａを有し、この突出部１５Ａに照明部１０が配設されている。また、バッテリー部１３は、本体部１５の正面側において、照明部１０の設けられた部分に近い部分に設けられている。バッテリー部１３は、本実施の形態では、第１の実施形態のようにインジケータ１４０の裏面に回り込むようになっていない。もちろん、回り込むように設けてもよい。
【００５１】
本実施の形態にかかる測定器用照明装置３によれば、測定器のバッテリー部とは別に照明装置用のバッテリー部を有しているため、測定器の電源を消費しないようにすることが可能である。
【００５２】
なお、本実施の形態にかかる測定器用照明装置３は、測定器用照明装置２のように、照明部１０を揺動可能に構成するようにすることもできる。これにより、照明部１０がより適切な位置に光を当てるようにすることができる。
【００５３】
なお、本発明は上記実施の形態に限られたものではなく、趣旨を逸脱しない範囲で適宜変更することが可能である。
【符号の説明】
【００５４】
１〜３  測定器用照明装置
１０、２０  照明部
１１  コネクタ
１２  ポート
１３  バッテリー部
１０１  ノギス
１０２  本尺
１０３  スライダ
１０４  エンコーダ
１０５、１３０、１４２  表示部
１０６  外側測定ジョー
１０７  内側測定ジョー
１０８  外側測定ジョー
１０９  内側測定ジョー
１１０  ポート
１１１  操作ボタン
１２０  マイクロメータ
１２１  フレーム
１２２  アンビル
１２３  クランプ
１２４  スピンドル
１２５  ポート
１２６  スリーブ
１２７  シンブル
１２８  ラチェット
１２９  スイッチ
１３１  エンコーダ
１３２  ポート
１４０  インジケータ
１４１  測定部
１４３  スイッチ
１４４  ステム
１４５  スピンドル
１４６  測定子
１４７  ポート
【図１】
2014074643.tif 000003
【図２】
2014074643.tif 000004
【図３】
2014074643.tif 000005
【図４】
2014074643.tif 000006
【図５】
2014074643.tif 000007
【図６】
2014074643.tif 000008
【図７】
2014074643.tif 000009
【図８】
2014074643.tif 000010
【図９】
2014074643.tif 000011
【図１０】
2014074643.tif 000012
【図１１】
2014074643.tif 000013